(57)【要約】【課題】  印刷コンテンツに関する情報をユーザに分かりやすく提示する。【解決手段】  デマルチプレクサ１０３は、受信データから映像データＤ１、音声データＤ２及びその他のデータＤ３を分離する。データＤ３は、ＥＰＧデータ、データ放送データ、印刷コンテンツデータ及び印刷コンテンツに関する付帯情報データ等からなる。データストリーム処理部１０６は、印刷コンテンツに関する付帯情報データ及び印刷コンテンツデータを復号する。画面構成部１０８は、印刷コンテンツの創出スケジュール、及び付帯情報を一覧表示する画面の映像信号を形成する。この映像信号は、表示制御部１０９を介して画像表示部１１２に印加され、画像として表示される。【選択図】  図１
2005130086.tif 000002
【特許請求の範囲】
【請求項１】
印刷可能なコンテンツデータと前記印刷可能なコンテンツデータに関する付帯情報データを含むデータ列を受信するデータ受信手段と、
前記データ受信手段により受信したデータ列の中から、所定のデータを個別に抽出するデータ抽出手段と、
前記データ抽出手段により抽出した前記付帯情報データを解析するデータ解析手段と、
前記データ抽出手段により抽出した印刷可能なコンテンツデータを前記付帯情報に従い出力する印刷データ出力手段と、
前記データ抽出手段により抽出した印刷可能なコンテンツデータを前記付帯情報に従い蓄積するデータ蓄積手段
とを有するデータ受信処理装置であって、
前記データ解析手段によって解析される少なくとも一つ以上の前記付帯情報データの内容を一覧表示する手段を設けたことを特徴とするデータ受信処理装置。
【請求項２】
視聴可能なコンテンツデータと、前記視聴可能なコンテンツデータに関する付帯情報と、前記視聴可能なコンテンツデータに関連する印刷可能なコンテンツデータと、前記印刷可能なコンテンツデータに関する付帯情報データとを含むデータ列を受信するデータ受信手段と、
前記データ受信手段により受信したデータ列の中から、所定のデータを個別に抽出するデータ抽出手段と、
前記データ抽出手段により抽出した前記視聴可能なコンテンツデータに関する付帯情報データを解析する視聴データ解析手段と、
前記データ抽出手段により抽出した前記印刷可能なコンテンツデータに関する付帯情報データを解析する印刷データ解析手段と、
前記データ抽出手段により抽出した視聴可能なコンテンツデータを前記付帯情報に従い出力する視聴データ出力手段と、
前記データ抽出手段により抽出した印刷可能なコンテンツデータを前記付帯情報に従い出力する印刷データ出力手段と、
前記データ抽出手段により抽出した印刷可能なコンテンツデータを前記付帯情報に従い蓄積するデータ蓄積手段
とを有するデータ受信処理装置であって、
前記印刷データ解析手段によって解析される少なくとも一つ以上の前記印刷可能なコンテンツデータに関する付帯情報データの内容と、前記視聴データ解析手段によって解析される少なくとも一つ以上の前記視聴可能なコンテンツデータに関する付帯情報データの内容を、共に一覧表示する手段を設けたことを特徴とするデータ受信処理装置。
【請求項３】
印刷可能なコンテンツデータと、前記印刷可能なコンテンツデータに関する付帯情報データとを含むデータ列を受信するデータ受信手段と、
前記データ受信手段により受信したデータ列の中から所定のデータを個別に抽出するデータ抽出手段と、
前記データ抽出手段により抽出した前記付帯情報データを解析するデータ解析手段と、
前記データ抽出手段により抽出した印刷可能なコンテンツデータを前記付帯情報に従い出力する印刷データ出力手段と、
前記データ抽出手段により抽出した印刷可能なコンテンツデータを前記付帯情報に従い蓄積するデータ蓄積手段と、
前記印刷データ出力手段からのデータを受信し、印刷するデータ印刷手段と、
前記データ印刷手段からの動作状態情報を受信する動作状態情報受信手段
とを有するデータ受信処理装置であって、
前記データ解析手段によって解析される少なくとも一つ以上の前記付帯情報データの内容を、前記データ印刷手段の動作状態情報と共に一覧表示する手段を設けたことを特徴とするデータ受信処理装置。
【請求項４】
視聴可能なコンテンツデータと、前記視聴可能なコンテンツデータに関する付帯情報と、前記視聴可能なデータに関連する印刷可能なコンテンツデータと、前記印刷可能なコンテンツデータに関する付帯情報データとを含むデータ列を受信するデータ受信手段と、
前記データ受信手段により受信したデータ列の中から所定のデータを個別に抽出するデータ抽出手段と、
前記データ抽出手段により抽出した前記視聴可能なコンテンツデータに関する付帯情報データを解析する視聴データ解析手段と、
前記データ抽出手段により抽出した前記印刷可能なコンテンツデータに関する付帯情報データを解析する印刷データ解析手段と、
前記データ抽出手段により抽出した視聴可能なコンテンツデータを前記付帯情報に従い出力する視聴データ出力手段と、
前記データ抽出手段により抽出した印刷可能なコンテンツデータを前記付帯情報に従い出力する印刷データ出力手段と、
前記データ抽出手段により抽出した印刷可能なコンテンツデータを前記付帯情報に従い蓄積するデータ蓄積手段と、
前記印刷データ出力手段からのデータを受信し、印刷するデータ印刷手段と、
前記データ印刷手段からの動作状態情報を受信する動作状態情報受信手段
とを有するデータ受信処理装置であって、
前記印刷データ解析手段によって解析される少なくとも一つ以上の前記印刷可能なコンテンツデータに関する付帯情報データの内容と、前記視聴データ解析手段によって解析される少なくとも一つ以上の前記視聴可能なコンテンツデータに関する付帯情報データの内容と、前記データ印刷手段の動作状態情報とを、一覧表示する手段を設けたことを特徴とするデータ受信処理装置。
【請求項５】
前記印刷可能なコンテンツデータの付帯情報は、前記印刷可能なコンテンツデータが前記データ列に含まれる予定時刻に関する情報である事を特徴とする請求項１乃至４の何れか１項に記載のデータ受信処理装置。
【請求項６】
前記印刷可能なコンテンツデータの付帯情報は、前記印刷可能なコンテンツデータの内容に関する情報である事を特徴とする請求項１乃至４の何れか１項に記載のデータ受信処理装置。
【請求項７】
前記印刷可能なコンテンツデータの付帯情報は、前記印刷可能なコンテンツデータが文字情報であることを示す情報であることを特徴とする請求項１乃至４の何れか１項に記載のデータ受信処理装置。
【請求項８】
前記印刷可能なコンテンツデータの付帯情報は、前記印刷可能なコンテンツデータが画像情報であることを示す情報であることを特徴とする請求項１乃至４の何れか１項に記載のデータ受信処理装置。
【請求項９】
前記印刷可能なコンテンツデータの付帯情報は、前記印刷可能なコンテンツデータの出力サイズに関する情報である事を特徴とする請求項１乃至４の何れか１項に記載のデータ受信処理装置。
【請求項１０】
前記印刷可能なコンテンツデータの付帯情報は、前記印刷可能なコンテンツデータの出力枚数に関する情報である事を特徴とする請求項１乃至４の何れか１項に記載のデータ受信処理装置。
【請求項１１】
前記印刷可能なコンテンツデータの付帯情報は、前記印刷可能なコンテンツデータを蓄積可能か否かを示す情報である事を特徴とする請求項１乃至４の何れか１項に記載のデータ受信処理装置。
【請求項１２】
前記印刷可能なコンテンツデータの付帯情報は、前記印刷可能なコンテンツデータの課金に関する情報である事を特徴とする請求項１乃至４の何れか１項に記載のデータ受信処理装置。
【請求項１３】
前記印刷可能なコンテンツデータは画像情報であり、前記印刷可能なコンテンツデータの付帯情報は、前記画像情報より低解像度の画像である事を特徴とする請求項１乃至４の何れか１項に記載のデータ受信処理装置。
【請求項１４】
前記データ列に含まれる予定時刻に関する情報と、前記印刷可能なコンテンツデータを蓄積可能か否かを示す情報と、現在時刻情報との組み合わせにより、前記印刷可能なコンテンツデータの出力先を前記印刷データ出力手段か前記データ蓄積手段かに切り替える事を特徴とする請求項１乃至４の何れか１項に記載のデータ受信処理装置。
【発明の詳細な説明】
【技術分野】
【０００１】
本発明は、例えば文字、画像、音声、映像等が多重化されたデータ放送コンテンツを受信し、表示及び再生を行なうデータ放送受信対応テレビ放送受信機におけるデータ処理装置、システムに関する。
【背景技術】
【０００２】
データ放送は、地上波テレビ放送での運用が行なわれ、衛星デジタル放送においても本格的に放送が開始されようとしている。これらのデータ放送はいずれも、放送局からデータを放送電波に重畳して放送するものである。受信端末側では、受信蓄積したデータをパーソナルコンピュータ又は専用端末に読み込み、汎用ＷＷＷ（Ｗｏｒｌｄ  Ｗｉｄｅ  Ｗｅｂ）ブラウザソフト又は専用ブラウザソフトウエアで表示する。
【０００３】
昨今、このようなデータ放送サービスをパーソナルコンピュータだけでなく、テレビ受像機でも受信可能とする事により、新たなサービスが期待されている。つまり、テレビ受像機自体にデータ放送の受信機能とブラウザソフトウエアを搭載する事により、パーソナルコンピュータを持たないユーザでも手軽にデータ放送の情報を閲覧出来るようになり、テレビ番組と連動した情報を文字と画像で表示させるサービスを享受できるようになる。
【０００４】
一例として、データ放送を利用した新しいニュースサービスが提案されている。これは、テレビ受像機側の蓄積装置に予めニュース映像などを記録しておき、文字と画像からなるデータ放送画面を”ニュース項目”としてユーザに提示し、リモコンなどによりユーザが選択したニュース項目の映像を再生するといったものである。このようなサービスにより、従来は決められた時間にしか見られなかったニュース番組をいつでも見られるようになり、ユーザが見たいニュースの項目だけを見られるようになる。即ち、従来に無かった新しいサービスを実現できる。例えば、特許２００１−２８５８１５号公報を参照されたい。
【０００５】
このようなデータ放送の受信機能をテレビ受像機に持たせた場合、文字の視認性を高める為に、通常、大き目のフォントが使用される。その結果、当然ながら一度に表示出来る文字情報が少なくなる。例えば、ニュースサービスでは、３乃至５つ分のニュースコンテンツを１画面に表示するのがやっとであり、たくさんのニュース項目を要約と写真付きで表示する事が困難であった。
【０００６】
スクロール又はページ切り替えなどによって、一度に表示しきれない情報を表示できる。しかし、これは、ユーザに不要な操作を強いるものである。パーソナルコンピュータ又はテレビゲーム機などの操作環境に慣れていないユーザのことを考えると、適当とは言えない。
【０００７】
また、放送されている映像番組放送又はデータ放送の有益な内容を紙で印刷した後で見るようにする事で、ユーザにとって利便性が向上する。その場合、テレビ受像機にビデオプリンタを接続し、テレビ受像機の表示画面をキャプチャーし、印刷することも考えられる。しかし、上述の通り、文字の視認性を高める為に、通常、大き目のフォントが使用されるので、必然的に印刷される文字も大きなものとなってしまう。この場合、テレビ画面と比較して、一般的に文字の視認性が高い紙の利点を活かせなくなってしまう。
【０００８】
データ放送データの印刷に関する特許文献として、特許文献１乃至７がある。データ放送中に印刷データを含む技術が，特許文献８に記載されている。
【特許文献１】特開２００３−０３７８１２号公報
【特許文献２】特開２００２−２６２２４５号公報
【特許文献３】特開２００２−１９１０１３号公報
【特許文献４】特開２００２−１９０９８８号公報
【特許文献５】特開２００２−１９０７８４号公報
【特許文献６】特開２００２−１９０７８２号公報
【特許文献７】特開２００２−１５８９７９号公報
【特許文献８】特開平１１−２３４２２８号公報
【発明の開示】
【発明が解決しようとする課題】
【０００９】
このような課題を解決する為に、映像音声番組放送データ又はデータ放送データと共に、より詳細な画像データ及び文字データ等の印刷可能なデータをトランスポートストリーム（ＴＳ）として重畳して放送し、印刷時にはそのデータを用いて印刷することも考えられる。その場合にも、以下のような問題が発生する。
【００１０】
第１に、いつ印刷データが送出され、いつまで印刷可能なのかがユーザに分かり難い。第２に、どのような内容の印刷データが送出されているのかがユーザに分かり難い。第３に、どのような種類の印刷データが送出されているのかがユーザに分かり難い。第４に、印刷する場合、どれくらいのボリュームになるのかがユーザに分かり難い。第５に、印刷する場合、課金されるかどうかがユーザに分かり難い。第６に、印刷する場合、受信機に接続されたプリンタで、どれくらいの時間がかかるのかがユーザに分かり難い。第７に、送出されているデータが蓄積記録可能なデータであるのかがユーザに分かり難い。第８に、映像音声番組放送又はデータ放送に関連する印刷コンテンツであった場合に、どの番組に関連するコンテンツであるのかがユーザに分かり難い。
【００１１】
本発明は、このような問題点を解決するデータ受信処理装置を提示することを目的とする。
【課題を解決するための手段】
【００１２】
本発明に係るデータ受信処理装置は、印刷可能なコンテンツデータと前記印刷可能なコンテンツデータに関する付帯情報データを含むデータ列を受信するデータ受信手段と、前記データ受信手段により受信したデータ列の中から、所定のデータを個別に抽出するデータ抽出手段と、前記データ抽出手段により抽出した前記付帯情報データを解析するデータ解析手段と、前記データ抽出手段により抽出した印刷可能なコンテンツデータを前記付帯情報に従い出力する印刷データ出力手段と、前記データ抽出手段により抽出した印刷可能なコンテンツデータを前記付帯情報に従い蓄積するデータ蓄積手段とを有するデータ受信処理装置であって、前記データ解析手段によって解析される少なくとも一つ以上の前記付帯情報データの内容を一覧表示する手段を設けたことを特徴とする。
【００１３】
本発明に係るデータ受信処理装置は、視聴可能なコンテンツデータと、前記視聴可能なコンテンツデータに関する付帯情報と、前記視聴可能なコンテンツデータに関連する印刷可能なコンテンツデータと、前記印刷可能なコンテンツデータに関する付帯情報データとを含むデータ列を受信するデータ受信手段と、前記データ受信手段により受信したデータ列の中から、所定のデータを個別に抽出するデータ抽出手段と、前記データ抽出手段により抽出した前記視聴可能なコンテンツデータに関する付帯情報データを解析する視聴データ解析手段と、前記データ抽出手段により抽出した前記印刷可能なコンテンツデータに関する付帯情報データを解析する印刷データ解析手段と、前記データ抽出手段により抽出した視聴可能なコンテンツデータを前記付帯情報に従い出力する視聴データ出力手段と、前記データ抽出手段により抽出した印刷可能なコンテンツデータを前記付帯情報に従い出力する印刷データ出力手段と、前記データ抽出手段により抽出した印刷可能なコンテンツデータを前記付帯情報に従い蓄積するデータ蓄積手段とを有するデータ受信処理装置であって、前記印刷データ解析手段によって解析される少なくとも一つ以上の前記印刷可能なコンテンツデータに関する付帯情報データの内容と、前記視聴データ解析手段によって解析される少なくとも一つ以上の前記視聴可能なコンテンツデータに関する付帯情報データの内容を、共に一覧表示する手段を設けたことを特徴とする。
【００１４】
本発明に係るデータ受信処理装置は、印刷可能なコンテンツデータと、前記印刷可能なコンテンツデータに関する付帯情報データとを含むデータ列を受信するデータ受信手段と、前記データ受信手段により受信したデータ列の中から所定のデータを個別に抽出するデータ抽出手段と、前記データ抽出手段により抽出した前記付帯情報データを解析するデータ解析手段と、前記データ抽出手段により抽出した印刷可能なコンテンツデータを前記付帯情報に従い出力する印刷データ出力手段と、前記データ抽出手段により抽出した印刷可能なコンテンツデータを前記付帯情報に従い蓄積するデータ蓄積手段と、前記印刷データ出力手段からのデータを受信し、印刷するデータ印刷手段と、前記データ印刷手段からの動作状態情報を受信する動作状態情報受信手段とを有するデータ受信処理装置であって、前記データ解析手段によって解析される少なくとも一つ以上の前記付帯情報データの内容を、前記データ印刷手段の動作状態情報と共に一覧表示する手段を設けたことを特徴とする。
【００１５】
本発明に係るデータ受信処理装置は、視聴可能なコンテンツデータと、前記視聴可能なコンテンツデータに関する付帯情報と、前記視聴可能なデータに関連する印刷可能なコンテンツデータと、前記印刷可能なコンテンツデータに関する付帯情報データとを含むデータ列を受信するデータ受信手段と、前記データ受信手段により受信したデータ列の中から所定のデータを個別に抽出するデータ抽出手段と、前記データ抽出手段により抽出した前記視聴可能なコンテンツデータに関する付帯情報データを解析する視聴データ解析手段と、前記データ抽出手段により抽出した前記印刷可能なコンテンツデータに関する付帯情報データを解析する印刷データ解析手段と、前記データ抽出手段により抽出した視聴可能なコンテンツデータを前記付帯情報に従い出力する視聴データ出力手段と、前記データ抽出手段により抽出した印刷可能なコンテンツデータを前記付帯情報に従い出力する印刷データ出力手段と、前記データ抽出手段により抽出した印刷可能なコンテンツデータを前記付帯情報に従い蓄積するデータ蓄積手段と、前記印刷データ出力手段からのデータを受信し、印刷するデータ印刷手段と、前記データ印刷手段からの動作状態情報を受信する動作状態情報受信手段とを有するデータ受信処理装置であって、前記印刷データ解析手段によって解析される少なくとも一つ以上の前記印刷可能なコンテンツデータに関する付帯情報データの内容と、前記視聴データ解析手段によって解析される少なくとも一つ以上の前記視聴可能なコンテンツデータに関する付帯情報データの内容と、前記データ印刷手段の動作状態情報とを、一覧表示する手段を設けたことを特徴とする。
【発明の効果】
【００１６】
本発明によれば、いつ印刷データが送出され、いつまで印刷可能なのかが、ユーザに分かりやすくなる。どのような内容の印刷データが送出されているのかが、ユーザに分かりやすくなる。どのような種類の印刷データが送出されているのかどうかが、ユーザに分かりやすくなる。印刷する場合、どれくらいのボリュームになるのかが、ユーザに分かりやすくなる。印刷する場合、課金されるかどうかが、ユーザに分かりやすくなる。印刷する場合、受信機に接続されたプリンタで、どれくらいの時間がかかるのかが、ユーザに分かりやすくなる。送出されているデータが、蓄積記録可能なデータであるのかどうかが、ユーザに分かりやすくなる。映像音声番組放送又はデータ放送に関連する印刷コンテンツであった場合に、どの番組に関連するコンテンツであるのかが、分かりやすくなる。
【発明を実施するための最良の形態】
【００１７】
以下、図面を参照して、本発明の実施例を詳細に説明する。
【実施例１】
【００１８】
図１は、本発明の第１実施例に係るデジタルテレビ受信装置１００の概略構成ブロック図である。
【００１９】
不図示のアンテナにより受信された信号は、チューナ１０１に入力する。チューナ１０１は、入力された信号を復調し、誤り訂正等の処理を施し、トランスポートストリームと呼ばれる形式のデジタルデータを生成する。生成されたトランスポートストリーム（ＴＳ）データは、デスクランブラ１０２に入力する。
【００２０】
デスクランブラ１０２は、視聴制限のためのスクランブルがかけられているＴＳデータがチューナ１０１から入力する場合、ＩＣカード制御部１１７において生成されるデスクランブルのための鍵情報に基づき、スクランブルを解除して、デマルチプレクサ１０３に出力する。ＩＣカード制御部１１７は、ユーザの契約情報、及び、ＴＳデータに含まれるデスクランブル用鍵情報を解く為の鍵情報を格納するＩＣカードを有する。また、デスクランブラ１０２は、チューナ１０１からスクランブルがかけられていないＴＳデータが入力する場合、ＴＳデータをそのままデマルチプレクサ１０３に出力する。
【００２１】
デスクランブラ１０２から出力されるＴＳデータには、複数チャンネル分の映像データ・音声データ、電子番組ガイド（ＥＰＧ）データ、データ放送データ、印刷コンテンツデータ及び印刷コンテンツに関する付帯情報データ等が時分割多重されている。
【００２２】
デマルチプレクサ１０３は、デスクランブラ１０２から出力されるＴＳデータから、操作部１１４又はリモコン１１６により選択されたチャンネルの映像データＤ１及び音声データＤ２、並びに、ＥＰＧデータ、データ放送データ、印刷コンテンツデータ及び印刷コンテンツに関する付帯情報データからなるデータＤ３を分離する。
【００２３】
図２は、ＴＳデータから映像データＤ１と、音声データＤ２と、ＥＰＧデータ、データ放送データ、印刷コンテンツデータ及び印刷コンテンツに関する付帯情報データからなるデータＤ３を分離するデマルチプレクサ１０３の動作の説明図である。
【００２４】
２０１は、複数チャンネル分の映像データ・音声データ、ＥＰＧデータ、データ放送データ、印刷コンテンツデータ及び印刷コンテンツに関する付帯情報データ等が時分割多重されているＴＳデータを示す。ＴＳデータ２０１は図２にＴＳＰで示すパケット単位で伝送され、ＴＳパケットＴＳＰのヘッダ部分２０２には、パケット識別子ＰＩＤが付与されている。
【００２５】
デマルチプレクサ１０３は、ＰＩＤフィルタ２０４とセクションフィルタ２０５を用いて、所定のＴＳパケットのペイロード部分２０３にあるＰＳＩ（Ｐｒｏｇｒａｍ  Ｓｐｅｃｉｆｉｃ  Ｉｎｆｏｒｍａｔｉｏｎ）情報２０６を取り出し、データストリーム処理部１０６に送出する。ＰＳＩ情報２０６は、ＴＳデータ全体の内容を定義する。デマルチプレクサ１０３は、これらの情報を用いて、指定チャンネルの映像データＤ１及び音声データＤ２を取り出し、それぞれビデオデコーダ１０４及びオーディオデコーダ１０５に送出する。デマルチプレクサ１０３は、同様の処理により、データ放送データ及び印刷コンテンツデータをデータストリーム処理部１０６に送出する。
【００２６】
デマルチプレクサ１０３は更に、ＰＩＤフィルタ２０４とセクションフィルタ２０５を用いて、所定のＴＳパケットのペイロード部分にあるＥＰＧデータ２０８、及び印刷コンテンツに関する付帯情報２０９を取り出し、データストリーム処理部１０６に送出する。
【００２７】
映像データＤ１の処理を説明する。ビデオデコーダ１０４は、デマルチプレクサ１０３から入力する映像データＤ１に対してＭＰＥＧ２のデコード処理を施し、復号した映像データを表示制御部１０９に出力する。表示制御部１０９は、ビデオデコーダ１０４、もしくはリモコン１１５の操作に応じて画面を切り替えたり、他からの画像及び／又は文字を多重して、ビデオデコーダ１０４の出力画像を画像表示部１１２に表示させる。画面構成部１０８ついては後述する。画像表示部１１２は、画像モニタ及び映像信号入力端子を具備する。
【００２８】
音声データＤ２の処理を説明する。オーディオデコーダ１０５は、デマルチプレクサ１０３から入力する音声データＤ２に対してＭＰＥＧ２のデコード処理を施し、復号した音声データを音声制御部１１０に出力する。音声制御部１１０は、オーディオデコーダ１０５から入力する音声データをアナログ信号に変換して、音声出力部１１３に出力する。音声出力部１１３は、スピーカ及び音声信号入力端子を具備する。
【００２９】
ＥＰＧデータ、データ放送データ、印刷コンテンツデータ及び印刷コンテンツに関する付帯情報データからなるデータＤ３の処理を説明する。
【００３０】
ＥＰＧデータは、社団法人電波産業会（通称、ＡＲＩＢ）における標準規格”デジタル放送に使用する番組配列情報」等で規定されるデータ構造で伝送される。主な構成データとして、現在時刻情報を伝送するＴＤＴ（Ｔｉｍｅ  Ｄｅｓｃｒｉｐｔｉｏｎ  Ｔａｂｌｅ）又はＴＯＴ（Ｔｉｍｅ  Ｏｆｆｓｅｔ  Ｔａｂｌｅ）、編成チャンネルの名称及び放送事業者の名称などの編成チャンネルに関する情報を伝送するＳＤＴ（Ｓｅｒｖｉｃｅ  Ｄｅｓｃｒｉｐｔｉｏｎ  Ｔａｂｌｅ）、番組の名称、放送開始日時及び内容の説明などの番組に関する情報を伝送するＥＩＴ（Ｅｖｅｎｔ  Ｉｎｆｏｒｍａｔｉｏｎ  Ｔａｂｌｅ）などが挙げられる。ＴＤＴ又はＴＯＴの情報は、一般に、受信装置１００の時計表示及び番組予約の為の時間管理等にも使用される。
【００３１】
データ放送データは、ＩＳＯ／ＩＥＣ１３８１８−６及び社団法人電波産業会による技術資料「ＢＳデジタル放送運用規定」等に規定記述されているＤＳＭ−ＣＣのデータカルーセル方式により、放送局から繰り返し送出される。デマルチプレクサ１０３によって分離されるデータ放送データは、テキスト情報、スクリプト情報、画像情報及び映像・音声データからなり、Ｗ３Ｃの規定するＸＭＬ（ｅＸｔｅｎｓｉｂｌｅ  Ｍａｒｋｕｐ  Ｌａｎｇｕａｇｅ）によって記述されている。
【００３２】
データストリーム処理部１０６は、ＥＰＧデータに含まれるテキスト情報と画像情報を復号し、データ放送データに含まれるテキスト情報、画像情報、映像データ及び音声データを復号し、得られたデータをバス１２０を介してメモリ１０７に入力する。ＣＰＵ１１８は、データ放送データに後述する処理を施した後に、表示用ＸＭＬデータを含む処理結果データをメモリ１０７に保存する。
【００３３】
ＣＰＵ１１８は、操作部１１４又は受光部１１５を介したリモコン１１６からのデータ放送表示指示に従い、メモリ１０７から表示用ＥＰＧデータ及び表示用ＸＭＬデータを読み出し、画面構成部１０８に出力する。
【００３４】
画面構成部１０８は、ＣＰＵ１１８によって処理され出力される表示用ＥＰＧデータ及び表示用ＸＭＬデータに基づく映像信号を表示制御部１０９に出力する。表示制御部１０９は、前述の如く、映像画面、ＥＰＧ表示画面及びデータ放送画面等の切り替えと合成表示に応じた映像信号を画像表示部１１２に出力する。
【００３５】
バス１２０にはさらに、ＩＥＥＥ１３９４インターフェース（Ｉ／Ｆ）１２２及びモデム１２１が接続する。ＩＥＥＥ１３９４Ｉ／Ｆ１２２は、受信装置１００に接続されるプリンタ１３２との間でプロトコル通信及びデータ送受信を行う為に用いられる。モデム１２１は、不図示の電話回線経由でインターネット接続する為に用いられる。
【００３６】
図３は、リモコン１１６の平面図を示す。但し、図３には、本実施例の説明に必要な機能を実現する為の操作ボタンを中心に図示してあり、実際の受信装置に必要なボタンは、省略されている。図３に示すようなリモコン１１６以外に、マウス等のポインティングデバイスを用いる事も可能である。
【００３７】
３０１は受光部１１５に向け赤外線信号を出力する発光部、３０２は受信装置１００の電源のオン／オフを指示する電源ボタン、３０３は選択カーソルを上下左右に移動させるカーソルキー、３０４は選択カーソルによって指定されている領域の選択の決定を指示する決定ボタン、３０７は、データ放送画面の表示を指示するＤボタンである。３０６はカラーキーと呼ばれる４つのボタンからなり、左から”青”、”赤”、”緑”及び”黄”と並んでいる。３０５はテンキーであり、チャンネルの入力及び数値等の入力に使用される。Ｐボタン３０８については後述する。
【００３８】
次に、印刷コンテンツデータを説明する。印刷コンテンツデータの伝送には、例えば、ＩＳＯ／ＩＥＣ１３８１８及び社団法人電波産業会の標準規格・技術資料において規定記載されているＰＳＩ（Ｐｒｏｇｒａｍ  Ｓｐｅｃｉｆｉｃ  Ｉｎｆｏｒｍａｔｉｏｎ）、ＤＳＭ−ＣＣ等のテーブル、及び、記述子とそのパラメータを利用又は拡張すればよい。印刷コンテンツデータの伝送には、別の方法を採用しうる。
【００３９】
デマルチプレクサ１０３によって分離された印刷コンテンツデータはテキスト情報、スクリプト情報及び画像情報からなり、Ｗ３Ｃの規定するＸＭＬ（ｅＸｔｅｎｓｉｂｌｅ  Ｍａｒｋｕｐ  Ｌａｎｇｕａｇｅ）によって記述されている。
【００４０】
印刷コンテンツに関する付帯情報を説明する。図４は、印刷コンテンツに関する付帯情報を記述するテーブルＰＩＴ（Ｐｒｉｎｔ  Ｉｎｆｏｒｍａｔｉｏｎ  Ｔａｂｌｅ）の記述内容例を示す。図４は、一つのテーブル中にＮ個の印刷コンテンツが存在する場合の例を示している。
【００４１】
ヘッダ情報領域４０１には、デマルチプレクサ１０３においてＰＩＴを取り出す為に必要なパラメータ情報、主にはＴａｂｌｅ＿ＩＤ、Ｓｅｃｔｉｏｎ＿Ｎｕｍｂｅｒ及びＳｅｒｖｉｃｅ＿ＩＤ等が記述されており、それぞれの情報が持つ意味は、前述のＥＩＴと同様である。Ｔａｂｌｅ＿ＩＤ及びＳｅｃｔｉｏｎ＿Ｎｕｍｂｅｒによって、印刷コンテンツが送出される時間帯幅が識別可能である。Ｓｅｒｖｉｃｅ＿ＩＤによって、印刷が送出されるチャンネルの情報が記述されるテーブルであると識別可能である。
【００４２】
印刷コンテンツ１のパラメータ記述領域４０２には、各印刷コンテンツに付与されているＩＤ値、印刷コンテンツ１の送出開始時間、印刷コンテンツ１の送出継続時間、及び、印刷コンテンツ１が有料であるか無料であるかを示すフラグが記述されている。
【００４３】
印刷コンテンツ１のパラメータ記述領域４０３には、印刷コンテンツ１を印刷する場合に最適な用紙のサイズ（例えばＡ３，Ａ４等）を示す情報、印刷コンテンツ１がどのような種類の情報（写真、テキスト及び図形等）を含んでいるのかを示す情報、印刷コンテンツ１を印刷した場合の枚数、印刷コンテンツ１のデータ容量、及び、印刷コンテンツ１を印刷するだけでなく、記録媒体に記録しても良いものかどうかを示すフラグが記述されている。
【００４４】
印刷コンテンツ１のパラメータ記述領域４０４には、領域４０２中の情報において、コンテンツが有料であった場合に、その料金が記述されている。
【００４５】
印刷コンテンツ１のパラメータ記述領域４０５には、印刷コンテンツ１の名称を表すテキスト情報が記述されている。
【００４６】
印刷コンテンツ１のパラメータ記述領域４０６には、印刷コンテンツ１の内容を紹介するテキスト情報が記述されている。
【００４７】
領域４０７には、領域４０２〜４０６と同様の記述が、別の印刷コンテンツについて、印刷コンテンツの数だけ繰り返し記述される。印刷コンテンツがＮ個ある場合、領域４０７には、Ｎ−１個分の印刷コンテンツの情報が記述される。
【００４８】
図４に示すＰＩＴは、印刷コンテンツが送出される時間帯とチャンネルしたがったＴａｂｌｅ＿ＩＤ、Ｓｅｃｔｉｏｎ＿Ｎｕｍｂｅｒ及びＳｅｒｖｉｃｅ＿ＩＤを付与されて、複数のテーブル情報としてＴＳデータに多重され、送出される。ＰＩＴは、デマルチプレクサ１０３により分離され、データストリーム処理部１０６により復号され、バス１２０を介してメモリ１０７に格納される。
【００４９】
ＣＰＵ１１８は、操作部１１４、又は受光部１１５を介したリモコン１１６からの所定の指示があった場合、本実施例では、図３のＰボタン３０８が押された場合、メモリ１０７から復号処理されたＰＩＴ情報を読み出し、画面構成部１０８に出力する。画面構成部１０８は、印刷コンテンツの送出スケジュール及び付帯情報を一覧表示する画面（以降、ＰＣＧ画面という。）を構成する。このＰＣＧ画面は、表示制御部１０９及び画像表示部１１２により表示される。図５は、ＰＣＧ画面の一例を示す。
【００５０】
図５において、５０１は、データ送出スケジュール時刻情報を示す。５０２は、データ送出チャンネル番号を示す。５０３は選択カーソルであり、図３で示したリモコン１１６のカーソルキー３０３で移動させることが可能である。５０４は、選択カーソル５０３で選択された部分の印刷コンテンツに関する付帯情報を表示する領域である。５０５は、選択カーソル５０３で選択された部分の印刷コンテンツの名称を示しており、図４の領域４０５に記述されているテキスト情報に相当する。５０６は、選択カーソル５０３で選択された部分の印刷コンテンツの内容を示しており、図４の領域４０６に記述されているテキスト情報に相当する。５０７は、選択カーソル５０３で選択された部分の印刷コンテンツの印刷可能時間と、それを印刷する場合に有料か無料かを示しており、図４の領域４０２に記述されている情報に相当する。
【００５１】
５０８は、印刷する場合に課金される料金を示しており、図４の領域４０４に記述されている情報に相当する。５０９は、印刷する場合の印刷用紙サイズ、コンテンツデータの種別、印刷枚数、及び、コンテンツデータを記録媒体に記録して良いかどうかを示しており、図４の領域４０３に記述されている情報に相当する。５１０は、印刷コンテンツを印刷又は印刷予約する場合のユーザアクションを指し示すマークである。このユーザアクションに関しては、後述する。
【００５２】
５１１は、接続されているプリンタ（図１のプリンタ１３２に相当する）に関するステータス情報を示す領域である。現在、プリンタにエラーが発生しておらず、印刷可能である旨と、コンテンツ印刷時の推定印刷完了時間が表示されている。仮に電源が入っていないとか、紙詰まり及びインク切れ等のトラブル又はエラーが発生している場合には、その旨をユーザに通知するメッセージが表示される領域である。推定印刷完了時刻は、図４のパラメータ記述領域４０３の記述情報と、受信機１００に接続されるプリンタ１３２から送出される性能情報（印刷解像度情報及び印刷速度情報等）により、ＣＰＵ１１８によって計算され、見積もられる情報である。
【００５３】
ユーザは、図５で示されている表示状態から、１９：００〜２３：００の範囲で１００〜１０３ｃｈにおいて送出されている印刷コンテンツ（名称：印刷コンテンツＡ，Ｂ，Ｃ，〜Ｊ，Ｋ，Ｌ）のスケジュールを一覧できる。また、選択カーソル５０３によって、”印刷コンテンツＣ”が選択されており、”印刷コンテンツＣ”の内容は”スポーツ選手、アイドルの写真データ満載です。”であり、印刷コンテンツＣの付帯情報は、印刷可能時間が１９：００〜２１：００、印刷料金が有料で５００円、用紙のサイズがＡ４、データの種別が写真、印刷枚数は１５枚、記録は不可である事を示している。
【００５４】
図５のマーク５１０に対するユーザアクションを説明する。図５に示す選択カーソルの位置状態では、ユーザは、リモコンのカラーキー３０６の”赤”ボタンと、テンキー３０５の”１”キーを押すことにより、印刷コンテンツＣを印刷又は印刷予約することができる。例えば、現在時刻が１９：３０である場合、印刷コンテンツＣは、１０１ｃｈにおいて送出されているので、印刷が開始される。また、例えば、現在時刻が１８：３０である場合、印刷コンテンツＣは、送出開始時間前であるので、その印刷が予約される。予約画面の一例を図６に示す。
【００５５】
図６の６０１は、現在、受信機１００に接続されているプリンタ１３２の機種名（図６では、”プリンタＡ”）が表示される領域である。６０２、６０３、６０４及び６０５は、ユーザが印刷コンテンツをいつ、どのように印刷するかを選択する項目である。ユーザが”印刷コンテンツ送出開始時刻に印刷”６０２を選択した場合、印刷コンテンツＣの送出開始時刻である１９：００に印刷が開始される。ユーザが”指定時刻に印刷を開始”６０５を選択した場合、時刻入力領域６０６にリモコンのテンキー３０５を用いて所望の時刻を入力することで印刷開始時刻を指定する。これにより、印刷が予約される。印刷予約時刻を設定した場合、及び、印刷を予約した場合には、その時点で接続されていたプリンタの情報等が、ＣＰＵ１１８及びバス１２０を介してメモリ１０７に保存される。
【００５６】
ユーザが”自動的にプレビューを表示”６０３を選択した場合、印刷コンテンツＣの送出開始時刻である１９：００になると、印刷コンテンツと共に送出されるコンテンツのプレビューデータが、画像表示部１１２に表示される。その画面の一例を図７に示す。図７に示すようなプレビュー画面では、各印刷コンテンツに対し、低解像度で縮小されたサムネイル画面が表示される。
【００５７】
ユーザが”自動的にプレビューを印刷”６０４を選択した場合、印刷コンテンツＣの送出開始時刻である１９：００になると、印刷コンテンツと共に送出されるコンテンツのプレビューデータが、プリンタ１３２により印刷される。
【００５８】
図６に示す画面において、受信機１００に接続されているプリンタが”プリンタＡ”であるとして印刷予約を行なったが、印刷開始までの間に接続プリンタを変更した場合には、画像表示部１１２に警告を表示する。その一例を図８に示す。
【００５９】
図８において、８０１は、ユーザが印刷予約完了後に視聴しているＴＶ映像画面である。８０２は、ユーザが印刷予約完了後に、プリンタの接続を変更した場合に表示される警告のＯＳＤ表示である。１３９４Ｉ／Ｆ１２２及びバス１２０を介してプリンタの接続機種の変更を検知したＣＰＵ１１８は、バス１２０、画面構成部１０８及び表示制御部１０９を介し、画像表示部１１２に図８に示すような警告を表示させる。図８に示す表示例では、プリンタが変更された事により、印刷完了までの推定時間が２０分から１時間に変更されたことをユーザに通知している。推定印刷完了時刻は、図４のパラメータ記述領域４０３の記述情報と、新規に接続されたプリンタから送出される性能情報（印刷解像度情報及び印刷速度情報等）により、ＣＰＵ１１８によって再計算され、見積もられる。また、その表示を見たユーザは、印刷予約の継続をリモコン１１６のカラーキー３０６の”青”ボタンでＣＰＵ１１８に指示でき、印刷予約の取り消しをカラーキー３０６の”赤”ボタンでＣＰＵ１１８に指示できる。
【００６０】
図９は、選択カーソル５０３により印刷コンテンツＦが選択された場合のＰＣＧ画面の一例を示す。図６と同様に、領域５０４には、印刷コンテンツＦの付帯情報が表示されている。印刷コンテンツＦは、９０９で示す通り、記録可能になっている。
【００６１】
図９の９０９で示す通り、印刷コンテンツＦは”記録可”であるので、選択カーソルの位置状態において、ユーザは、リモコン１１６のカラーキー３０６の”緑”ボタンと、テンキー３０５の”２”キーを押す事により、印刷コンテンツＦの印刷、記録、印刷予約及び／又は記録予約を行なう事が可能である。コンテンツデータの記録は、蓄積部１１９に対して行なわれる。
【００６２】
例えば、現在時刻が２０：１０である場合、印刷コンテンツＦは既に、１０２ｃｈにおいて送出されているので、印刷又は記録が可能である。その場合に表示される画面の一例を図１０に示す。
【００６３】
ユーザが”印刷コンテンツをすぐに印刷”１００１を選択した場合、印刷コンテンツＦの印刷が速やかに開始される。
【００６４】
ユーザが”印刷コンテンツをすぐに印刷＆記録”１００２を選択した場合、印刷コンテンツＦの印刷と蓄積部１１９への記録が速やかに開始される。
【００６５】
ユーザが”プレビューを表示”１００３を選択した場合、図７に相当する印刷コンテンツＦのプレビュー画面が表示される。
【００６６】
ユーザが”プレビューを印刷”１００４を選択した場合、プレビュー画面が印刷される。
【００６７】
ユーザが”印刷コンテンツを記録”１００５を選択した場合、印刷は行なわれずに、コンテンツデータが、蓄積部１１９に記録される。
【００６８】
ユーザが”指定時刻に印刷を開始”１００６を選択した場合、ユーザは時刻入力領域１００７に所望の時刻を入力すすることで、印刷時刻を設定し、印刷を予約できる。ユーザが印刷コンテンツＦの印刷可能時間外の時刻を時刻入力領域１００７に設定した場合、領域１００７への時刻設定完了後に印刷コンテンツの記録が行なわれ、時刻入力領域１００７に入力された時刻に印刷が開始される。
【００６９】
現在時刻が１９：１０である場合、印刷コンテンツＦは未だ、１０２ｃｈにおいて送出されていないので、印刷、記録及び表示は、何れも予約となる。その場合の表示画面例を図１１に示す。
【００７０】
”印刷コンテンツ送出開始時刻に印刷”１１０１を選択した場合、印刷コンテンツＦの送出開始時刻である２０：００になれば、印刷が開始される。
【００７１】
”自動的にプレビューを表示”１１０２を選択した場合、印刷コンテンツＦの送出開始時刻である２０：００になると、図７に相当する印刷コンテンツＦのプレビュー画面が表示される。
【００７２】
”自動的にプレビューを印刷”１１０３を選択した場合、印刷コンテンツＦの送出開始時刻である２０：００になると、プレビュー画面が印刷される。
【００７３】
”印刷コンテンツを記録”１１０４を選択した場合、印刷予約は行なわれずに、印刷コンテンツＦの送出開始時刻である２０：００と共に、コンテンツデータが蓄積部１１９に記録される。
【００７４】
”指定時刻に印刷を開始”１１０５を選択した場合、時刻入力領域１１０５に所望の時刻を入力する事で、印刷時刻を設定でき、印刷を予約できる。ユーザが印刷コンテンツＦの印刷可能時間外の時刻を設定した場合、印刷コンテンツＦの送出開始時刻である２０：００になると、印刷コンテンツの記録が行なわれ、指定時刻になると、印刷が開始される。
【００７５】
以上述べた印刷予約時刻及び記録予約時刻の情報、並びに、印刷予約を行なった時点で接続されていたプリンタの情報等は、ＣＰＵ１１８及びバス１２０を介して、メモリ１０７に保存され、印刷開始までの間にプリンタの接続を変更した場合、ＣＰＵ１１８は、図８に示す警告表示に相当する警告を画像表示部１１２に表示させる。
【００７６】
プリンタステータス情報５１１（図５）に、プリンタの電源が入っていない、紙が詰まっている、及びインクが無い等のトラブルにより、プリントが出来ない旨の表示がなされている場合、印刷操作、記録操作、印刷予約操作及び記録予約操作時に、対象のデータを自動的に蓄積部１１９に記録するようにしてもよい。
【００７７】
本実施例では、前提として、映像データ、音声データ、データ放送データ及び印刷可能なデータを含むＴＳの中に、印刷データが送出されるスケジュール情報、どのような種類の印刷可能なデータが送出されるか、印刷するとどれくらいのボリュームになるのかの情報等を多重する。そして、ＴＳ受信機においては、複数の印刷可能なデータに関するスケジュール情報及び印刷データに関する付帯情報を受信・復号・表示する手段、記録・蓄積可能な印刷データを記録・蓄積する手段、接続されるプリンタの情報と印刷データに関する付帯情報により印刷時間を計算する手段、表示されるスケジュール情報及び付帯情報一覧表示画面から、印刷可能なデータの印刷、記録及びこれらの予約を制御する手段を設ける。
【００７８】
このような構成により、以下の効果がある。即ち、第１に、いつ印刷データが送出され、いつまで印刷可能なのかが、ユーザに分かるようになる。
【００７９】
第２に、どのような内容の印刷データが送出されているのかが、ユーザに分かるようになる。
【００８０】
第３に、どのような種類の印刷データが送出されているのかどうかが、ユーザに分かるようになる。
【００８１】
第４に、印刷する場合、どれくらいのボリュームになるのかが、ユーザに分かるようになる。
【００８２】
第５に、印刷する場合、課金されるかどうかが、ユーザに分かりやすくなる。
【００８３】
第６に、印刷する場合、受信機に接続されたプリンタで、どれくらいの時間がかかるのかが、ユーザに分かるようになる。
【００８４】
第７に、送出されているデータが、蓄積記録可能なデータであるのかどうかが、ユーザに分かるようになる。
【実施例２】
【００８５】
図１２は、映像音声番組放送及びデータ放送に関連する印刷コンテンツの付帯情報をＥＩＴ（Ｅｖｅｎｔ  Ｉｎｆｏｒｍａｔｉｏｎ  Ｔａｂｌｅ）の記述子として挿入する場合の、記述内容例を示す。
【００８６】
印刷コンテンツのパラメータ記述領域１２０１には、各印刷コンテンツに付与されているＩＤ値、印刷コンテンツの送出開始時間、及び、印刷コンテンツの送出継続時間、印刷コンテンツが有料か無料かを示すフラグが記述されている。
【００８７】
印刷コンテンツのパラメータ記述領域１２０２には、印刷コンテンツを印刷する場合に最適な用紙のサイズ（例えばＡ３，Ａ４等）を示す情報、印刷コンテンツがどのような種類の情報を含んでいるのかを示す情報（写真、テキスト、図形）、印刷コンテンツを印刷した場合の枚数、印刷コンテンツデータのデータ容量、及び、印刷コンテンツを印刷するだけでなく、記録媒体に記録しても良いものかどうかを示すフラグが記述されている。
【００８８】
印刷コンテンツのパラメータ記述領域１２０３には、領域１２０１中の情報において、コンテンツが有料であった場合の料金が記述されている。
【００８９】
印刷コンテンツのパラメータ記述領域１２０４には、印刷コンテンツの名称を表すテキスト情報が記述されている。
【００９０】
印刷コンテンツのパラメータ記述領域１２０５には、印刷コンテンツの内容を紹介するテキスト情報が記述されている。
【００９１】
図１３は、図１２に示すような情報が記述されたＥＩＴを用いて伝送されるＥＰＧの画面例を示す。
【００９２】
図１３において、１３０１は、番組スケジュール時刻情報を示す。１３０２は、番組が放送されるチャンネル番号を示す。選択カーソル１３０３は、リモコン１１６カーソルキー３０３で移動可能である。１３０４は、選択カーソル１３０３で選択された部分の番組コンテンツに関する付帯情報を表示する領域であり、ここでは、番組名が”スポーツＡ”、番組内容が”様々なスポーツの魅力を紹介する番組です”、放送時間は１９：００〜２１：００、視聴料金は５００円であることを示している。
【００９３】
ハッチングを施した領域１３０５は、その時間帯に、ＴＶ番組”スポーツＡ”に関する印刷コンテンツが送出されていることを示す。この時間帯と同様に、１００ｃｈの”音楽３”、１０２ｃｈの”アニメ３”及び１０３ｃｈの”映画２”の放送時間帯にも、番組に関連する印刷コンテンツが送出されている。１３０６は、領域１３０４内に表示されている番組に関連する印刷コンテンツを印刷又は印刷予約する場合のユーザアクションを指し示すマークである。
【００９４】
マーク１３０６に対するユーザアクションを説明する。マーク１３０６の表示に従い、Ｐボタン３０８を押す事により、印刷コンテンツ付帯情報の閲覧、印刷コンテンツの印刷、及び印刷コンテンツの印刷予約操作を行なう為の画面（印刷予約画面）が表示される。その表示画面例を図１４に示す。
【００９５】
１４０１は、現在、受信装置１００に接続されているプリンタ１３２の機種名（図１４中では、”プリンタＡ”）が表示される領域である。１４０２は、選択カーソル１３０３で選択された番組に関連する印刷コンテンツの付帯情報を表示する領域である。１４０３は、選択カーソル１３０３で選択された番組に関連する印刷コンテンツの名称を示す領域であり、この領域１４０３に、図１２の領域１２０４に記述されているテキスト情報に相当する情報が表示される。
【００９６】
１４０４は、選択カーソル１３０３で選択された番組に関連する印刷コンテンツの内容を示す領域であり、この領域１４０４に、図１２の領域１２０５に記述されているテキスト情報に相当する情報が表示される。
【００９７】
１４０５は、選択カーソル１３０３で選択された番組に関連する印刷コンテンツの印刷可能時間と、それを印刷する場合に有料か無料かを示す領域であり、この領域１４０５に、図１２の領域１２０１に記述されている情報に相当する情報が表示される。
【００９８】
１４０６は、印刷する場合に課金される料金、即ち、図１２の領域１２０３に記述されている情報が表示される領域である。
【００９９】
１４０７は、印刷する場合の印刷用紙サイズ、コンテンツデータの種別、印刷枚数、及び、コンテンツデータを記録媒体に記録して良いかどうかを示す領域であり、こ領域１４０７に、図１２の領域１２０２に記述されている情報に相当する情報が表示される。
【０１００】
１４０８、１４０９、１４１０、１４１１は、ユーザが印刷コンテンツをいつ、どのように印刷するかを選択する項目である。その選択と機能に関しては、第１実施例と同様であるので、説明を省略する。
【０１０１】
記録・蓄積可能な印刷データを記録・蓄積する機能、接続されるプリンタの情報と印刷データに関する付帯情報によって印刷時間を計算する機能、表示されるスケジュール情報及び付帯情報一覧表示画面から印刷可能なデータを印刷、記録及びこれらの予約を行う機能、印刷予約又は記録予約の後にプリンタの接続が変更された場合に警告を表示する機能、警告に伴い予約を継続するか否かを選択する機能等は、第１実施例と同様であるので、説明を省略する。
【０１０２】
本実施例では、ＴＳのＥＰＧデータ中に、印刷データが送出されるスケジュール情報、どのような種類の印刷可能なデータが送出されるか、印刷するとどれくらいのボリュームになるのかの情報等を多重する。そして、ＴＳ受信機においては、複数の印刷可能なデータに関するスケジュール情報及び印刷データに関する付帯情報を受信・復号・表示する手段、記録・蓄積可能な印刷データを記録・蓄積する手段、接続されるプリンタの情報と印刷データに関する付帯情報により印刷時間を計算する手段、表示されるスケジュール情報及び付帯情報一覧表示画面から、印刷可能なデータの印刷、記録及びこれらの予約を制御する手段を設け、ＥＰＧ画面中に番組に関連する印刷コンテンツの付帯情報を表示するようにした。
【０１０３】
このような構成により、以下の効果がある。即ち、第１に、いつ印刷データが送出され、いつまで印刷可能なのかが、ユーザに分かりやすくなる。
【０１０４】
第２に、どのような内容の印刷データが送出されているのかが、ユーザに分かりやすくなる。
【０１０５】
第３に、どのような種類の印刷データが送出されているのかどうかが、ユーザに分かりやすくなる。
【０１０６】
第４に、印刷する場合、どれくらいのボリュームになるのかが、ユーザに分かりやすくなる。
【０１０７】
第５に、印刷する場合、課金されるかどうかが、ユーザに分かりやすくなる。
【０１０８】
第６に、印刷する場合、受信機に接続されたプリンタで、どれくらいの時間がかかるのかが、ユーザに分かりやすくなる。
【０１０９】
第７に、送出されているデータが、蓄積記録可能なデータであるのかどうかが、ユーザに分かりやすくなる。
【０１１０】
第８に、映像音声番組放送又はデータ放送に関連する印刷コンテンツであった場合に、どの番組に関連するコンテンツであるのかが、分かりやすくなる。
【図面の簡単な説明】
【０１１１】
【図１】発明の一実施例に係るデジタルテレビ受信装置の概略構成ブロック図である。
【図２】デマルチプレクサ１０３の作用の説明図である。
【図３】リモコン１１６の平面図である。
【図４】印刷コンテンツに関する付帯情報を記述するテーブルの記述内容例である。
【図５】印刷コンテンツの送出スケジュール及び付帯情報を一覧表示する画面例である。
【図６】印刷予約画面例である。
【図７】印刷コンテンツのプレビュー画面例である。
【図８】プリンタ接続が変更された場合の警告画面例である。
【図９】印刷コンテンツの送出スケジュール及び付帯情報を一覧表示する別の画面例である。
【図１０】モード設定画面例である。
【図１１】モード設定画面の別例である。
【図１２】第２実施例での印刷コンテンツに関する付帯情報を記述する記述子の記述内容例である。
【図１３】印刷コンテンツの送出スケジュールと付帯情報を表示するＥＰＧ画面例である。
【図１４】印刷予約画面例である。
【符号の説明】
【０１１２】
１００：デジタル放送受信装置
１０１：チューナ
１０２：デスクランブラ
１０３：デマルチプレクサ
１０４：ビデオデコーダ
１０５：オーディオデコーダ
１０６：データストリーム処理部
１０７：メモリ
１０８：画面構成部
１０９：表示制御部
１１０：音声制御部
１１２：画像表示部
１１３：音声出力部
１１４：操作部
１１５：受光部
１１６：リモコン
１１７：ＩＣカード制御部
１１８：ＣＰＵ
１１９：蓄積部
１２０：バス
１２１：モデム
１２２：１３９４Ｉ／Ｆ
１３２：プリンタ
【図１】
2005130086.tif 000003
【図２】
2005130086.tif 000004
【図３】
2005130086.tif 000005
【図４】
2005130086.tif 000006
【図５】
2005130086.tif 000007
【図６】
2005130086.tif 000008
【図７】
2005130086.tif 000009
【図８】
2005130086.tif 000010
【図９】
2005130086.tif 000011
【図１０】
2005130086.tif 000012
【図１１】
2005130086.tif 000013
【図１２】
2005130086.tif 000014
【図１３】
2005130086.tif 000015
【図１４】
2005130086.tif 000016